(57)【要約】【課題】本体の基盤前面に連ねて段差解消部材を設けることで、ボウリングボール入りのバッグを容易に収納することができるロッカーを提案する。【解決手段】厚い基盤６と左右一対の側板部８と後板部１０と頂板部１２を前面開口の箱形に連結したロッカー本体２と、このロッカー本体２の前側に取り付けた扉１８とからなり、上記ロッカー本体２は、そのロッカー本体の内部空間の底面前縁から前下方へ傾斜するスロープ２６を含む段差解消部材２０を有し、この段差解消部材２０は、ロッカー本体２の設置面である水平面とスロープ２６とがなす角度が鋭角となるように形成するとともに、スロープ２６の後端部がロッカー本体の内部空間の底面前縁に連なるように構成した。【選択図】図１
2010253120.tif 000002
【特許請求の範囲】
【請求項１】
厚い基盤６と左右一対の側板部８と後板部１０と頂板部１２を前面開口の箱形に連結したロッカー本体２と、
このロッカー本体２の前側に取り付けた扉１８とからなり、
上記ロッカー本体２は、そのロッカー本体の内部空間の底面前縁から前下方へ傾斜するスロープ２６を含む段差解消部材２０を有し、
この段差解消部材２０は、ロッカー本体２の設置面である水平面とスロープ２６とがなす角度が鋭角となるように形成するとともに、スロープ２６の後端部がロッカー本体の内部空間の底面前縁に連なるように構成したことを特徴とする、バッグ収納用ロッカー。
【請求項２】
上記段差解消部材２０は、上記ロッカー本体２の基盤６上面に載置された水平板部２２から前下方へ突出する傾斜板部２４を連続形成してなり、
上記水平板部２２の上面がロッカー本体の内部空間１６の底面を、また傾斜板部２４の上面がスロープ２６をそれぞれ形成しており、
上記ロッカー本体２の基盤６上面と扉１８の下面との間に水平板部挿入用の間隙Ｇを設けたことを特徴とする、請求項１記載のバッグ収納用ロッカー。
【請求項３】
上記ロッカー本体２は、左右方向に長く、かつそのロッカー本体２の内部を、基盤６と頂板部１２との間に架設した１又は２以上の仕切り板１４で等間隔に分割しており、
分割された各内部空間１６毎に、上記段差解消部材２０を設け、
この段差解消部材２０の水平板部２２は、バッグを上記内部空間内に導くためにロッカー本体の奥部まで平坦に延びるように形成したことを特徴とする、請求項２記載のバッグ収納用ロッカー。
【請求項４】
上記段差解消部材２０は、上記基盤６の前面に当接させた段差解消ブロックであり、
前記ロッカー本体２の内部空間底面とスロープ２６との連続状態を保つために、上記基盤６に対する係止部３０を設けたことを特徴とする、請求項１記載のバッグ収納用ロッカー。
【請求項５】
上記段差解消部材２０は、上記基盤６の前面に当接させた段差解消ブロックであり、
前記ロッカー本体２の内部空間底面とスロープ２６との連続状態を保つために、段差解消ブロック及びロッカー本体２に、上記設置面Ｆに対する係止部３２、３４をそれぞれ設けたことを特徴とする、請求項１記載のバッグ収納用ロッカー。
【発明の詳細な説明】
【技術分野】
【０００１】
本発明は、バッグ（特にボウリングボール入りバッグ）の収納用ロッカーに関する。
【背景技術】
【０００２】
ボウリング場用のロッカーとして、厚い基盤を含む箱形の本体の頂板を柵で囲ってボウリングボールを載置可能とし、かつ本体内部を複数の部分に仕切って、各部分毎に扉を付したものが知られている（特許文献１）。
【先行技術文献】
【特許文献】
【０００３】
【特許文献１】特開２００５−３２３８２０
【特許文献２】特開２０００−２１０１３６
【特許文献３】特開２００１−３１７１７０
【発明の概要】
【発明が解決しようとする課題】
【０００４】
上記ロッカーは、頂板の上に一般の利用者向けの貸しボールを載置し、また、ロッカーの本体部分を例えば会員用として貸し出すという用途に用いられる。これにより、会員などは、例えばボウリングボール入りのバックをロッカー本体内へ搬入し、保管しておくことができる。しかしながら、最初にボール入りバックをロッカー本体内に入れるときに、利用者はそのバッグを、床面と基盤との段差を越えて持ち上げ、ロッカー本体内に搬入することになる。ボウリングボールは重いので、搬入作業の労力は大きい。出願人は、先にボウリングボール入りバッグをロッカー内に搬入することによる底板の変形を防止するため、底板を補強板で覆うことを提案しているが（特許文献２）、搬入の手間を軽減するという問題は未解決のまま残されている。
【０００５】
本発明の目的は、本体の基盤前面に連ねて段差解消部材を設けることで、ボウリングボール入りのバッグを容易に収納することができるロッカーを提案することである。
【課題を解決するための手段】
【０００６】
第１の手段は、バッグ収納用ロッカーであり、
厚い基盤６と左右一対の側板部８と後板部１０と頂板部１２を前面開口の箱形に連結したロッカー本体２と、
このロッカー本体２の前側に取り付けた扉１８とからなり、
上記ロッカー本体２は、そのロッカー本体の内部空間の底面前縁から前下方へ傾斜するスロープ２６を含む段差解消部材２０を有し、
この段差解消部材２０は、ロッカー本体２の設置面である水平面とスロープ２６とがなす角度が鋭角となるように形成するとともに、スロープ２６の後端部がロッカー本体の内部空間の底面前縁に連なるように構成している。
【０００７】
本手段では、主としてボウリングボール入りのバッグを収納するためのロッカーにおいて、ロッカーの設置面とロッカー本体の基盤との間の段差を解消する部材を設ける。段差解消部材のスロープを介して少ない労力でバッグを導入することができる。従来でも、段差解消ブロックを、床面及び隣接する突条との間など屋内の段差に設置することがあった（特許文献３）。しかし従来の段差解消ブロックは、人の通行を妨げる障害を取り除くというバリアフリーの考え方に基づいている。ロッカーのような物品の前面に連ねて段差解消ブロックを置くという思想はない。そうした場所に置けば、むしろロッカーの前を通行する人の邪魔になりかねないからである。なお、本出願人は、段差解消手段が通行の大きな障害とならないようにするためのさまざまな工夫も提案している。
【０００８】
「段差解消部材」は、バッグを搬入するためのスロープを有する。図３及び図７に好適な構造を示す。ロッカーの設置面に対するスロープの傾斜角度は小さいほどボール入りバッグを搬入し易いが、その反面、ロッカー前面から傾斜板部が突出する長さ（水平方向の長さとする）が大きくなり、通行の妨げとなる可能性がある。従来のバリアフリーのための段差解消手段のスロープの角度は３０°未満であることが多いが、本発明の段差解消部材のスロープの傾斜角度θは３０°以上でもよく、図４の例では４５°程度となっている。
【０００９】
第２の手段は、第１の手段を有し、かつ
上記段差解消部材２０は、上記ロッカー本体２の基盤６上面に載置された水平板部２２から前下方へ突出する傾斜板部２４を連続形成してなり、
上記水平板部２２の上面がロッカー本体の内部空間１６の底面を、また傾斜板部２４の上面がスロープ２６をそれぞれ形成しており、
上記ロッカー本体２の基盤６上面と扉１８の下面との間に水平板部挿入用の間隙Ｇを設けたことを特徴としている。
【００１０】
本手段では、段差解消部材を、水平板部の前部から傾斜板部を突出する板状部材としている。従来の特許文献３のような段差解消ブロックを基盤の前に置くと、ボウリングボール入りのキャスター付きバッグの昇降を繰り返すうちに段差解消ブロックと基盤との間に僅かな隙間が生ずる可能性がある。そうなると、隙間内にキャスターが落ち込むおそれがあり、上記バッグの円滑な搬入を妨げる。しかしながら、本手段では、傾斜板部と水平板部とが連続形成されているのであるから、そうした隙間は生じえない。また本手段の段差解消部材は、簡易な構造であるから廉価に製造することができ、また、水平板部を基盤上に置くだけで簡易にセットすることができる。本手段においては、段差解消部材を挿通するための隙間を、扉の下端と基盤の上面との間に形成する。
【００１１】
なお、必須要件ではないが、通行人のつま先に傾斜板部が当たったときの衝撃を緩和することを目的として、図２に示す如く、水平板部をロッカー本体の内部空間内に遊嵌させること、傾斜板部を上方からみて先細のテーパ状にすること、及び、水平板部とロッカー本体の内部空間とを、通行人との衝突による衝撃で容易に切れる程度の弱い連結手段（両面テープなど）で連係させることができる。これらについては後述する。
【００１２】
第３の手段は、第２の手段を有し、かつ
上記ロッカー本体２は、左右方向に長く、かつそのロッカー本体２の内部を、基盤６と頂板部１２との間に架設した１又は２以上の仕切り板１４で等間隔に分割しており、
分割された各内部空間１６毎に、上記段差解消部材２０を設け、
この段差解消部材２０の水平板部２２は、バッグを上記内部空間内に導くためにロッカー本体の奥部まで平坦に延びるように形成している。
【００１３】
ボール入りバッグの搬入路として好適な段差解消部材の構造、特に水平板部の奥行きについて提案している（図１及び図２参照）。また水平板部は各内部空間内に遊嵌すると、取り付けが容易である。
【００１４】
第４の手段は、第１の手段を有し、かつ
上記段差解消部材２０は、上記基盤６の前面に当接させた段差解消ブロックであり、
前記ロッカー本体２の内部空間底面とスロープ２６との連続状態を保つために、上記基盤６に対する係止部３０を設けている。
【００１５】
本手段では、段差解消部材を、基盤の前面に当接する段差解消ブロックとしており（図７参照）、基盤との間に隙間を生じないように基盤に係止している。段差ブロックは中空でも中実でもよい。係止の方法としては、ボルト・ナットなどの締結具を用いてもよい。
【００１６】
第５の手段は、第１の手段を有し、かつ
上記段差解消部材２０は、上記基盤６の前面に当接させた段差解消ブロックであり、
前記ロッカー本体２の内部空間底面とスロープ２６との連続状態を保つために、段差解消ブロック及びロッカー本体２に、上記設置面Ｆに対する係止部３２、３４をそれぞれ設けている。
【００１７】
本手段は、段差解消ブロックを基盤に直接係止する代わりに、段差解消ブロック及びロッカー本体をそれぞれ設置面に係止したものである（図８参照）。段差解消ブロックに関しては第４の手段で記載したことを援用する。係止の方法としては、ボルト・ナットなどの締結具を用いてもよいが、例えば段差解消ブロックの下面に床面への滑り止めシートを形成する程度でもよい。
【発明の効果】
【００１８】
第１の手段に係る発明によれば、ロッカー本体２の基盤と設置面との段差を解消するスロープ２６を設けたから、ロッカー本体へのバッグの搬入が容易となる。
【００１９】
第２の手段に係る発明によれば、段差解消部材２０を、水平板部２２から前下方へ傾斜板部２４を突出することで形成したから、バッグをスムーズにロッカー本体２内へ乗り入れることができる。
【００２０】
第３の手段に係る発明によれば、段差解消部材の水平板部２２はロッカー本体の奥部まで延びているから、バッグをロッカー本体内へ円滑に導くことができる。
【００２１】
第４の手段又は第５の手段に係る発明によれば、段差解消部材２０のスロープ２６とロッカー本体２の内部空間底面とを連続させるための係止部を設けたから、基盤６からの段差解消部材２０の分離を防止又は抑制することができる。
【図面の簡単な説明】
【００２２】
【図１】本発明の第１実施形態に係るバッグ収納用ロッカーの正面図である。
【図２】図１のロッカーの平面図である。
【図３】図１のロッカーの側方から見た断面図である。
【図４】図３の断面図の要部拡大図である。
【図５】図１のロッカーの使用状態の説明図である。
【図６】本発明の第２実施形態に係るバッグ収納用ロッカーの正面図である。
【図７】図６のロッカーの側方から見た断面図である。
【図８】図６のロッカーの変形例を側方から見た断面図である。
【図９】本発明の実施例に係るバッグ収納用ロッカーの正面図である。
【図１０】図９のロッカーの断面図である。
【発明を実施するための形態】
【００２３】
図１から図５は、本発明の第１実施形態のバッグ収納用ロッカーを示している。まずこのロッカーの構成のうち従来公知の部分を説明する。このバッグ収納用ロッカーは、ロッカー本体２と、扉１８とからなる。
【００２４】
ロッカー本体２は、床面に設置可能な長方体形状で前面開放の箱体であり、この箱体は、基盤６と、この基盤の左右両側から起立する側板部８と、基盤の後側から起立する後板部１０と、これら側板部及び後板部によって支えられる頂板部１２とを有する。基盤６は、図３に示す如く設置面Ｆとの間にある程度の段差ができる程度の厚みを有する。また好適な図示例では、上記ロッカー本体２の内部を、基盤６と頂板部１２との間に縦設した２つの垂直な仕切り板１４で均等に区画している。仕切られた各内部空間１６は、収納室を形成している。扉１８は、図示例では仕切り板により仕切られた内部空間毎に、ロッカー本体の前面に対して、蝶番１９により取り付ける。上記頂板部１２の左右両端は側板部８の上端に適当な方法で強固に連結している。好適な一実施例として、側板部を形成する金属板の上端部を水平に折り曲げて、この折り曲げ板部分９を頂板部の端部に面接触させ、溶接やネジ止めなどで連結することができる。同様に頂板部側の端部を折り曲げて側板部に連結してもよい。頂板部１２の後端は後板部１０に連結する。図示例では、ロッカー本体２の左右巾はロッカー本体２の高さより大きくしている。
【００２５】
本発明においては、ロッカー本体２に、ロッカーの設置面Ｆである床面と基盤６との間の段差解消部材２０を設ける。この段差解消部材２０は、基盤６上面に載置された水平板部２２と、この水平板部２２の前縁から前下方へ延出する傾斜板部２４とで形成している。この段差解消部材２０は、一枚の金属板の一半部を屈折させることで形成している。金属板の厚さは、１〜２ｍｍ程度とすることができる。段差解消部材は、鋼板、アルミニウム、プラスチックなどで形成することができる。
【００２６】
上記水平板部２２は、長方形であり、基盤６の前縁からロッカー本体２の奥部まで延びている。しかしながら、水平板部２２は、必ずしも上記奥部まで延びている必要はなく、ロッカー本体２の前側に傾斜板部２４をセットするために十分な長さを有すれば足りる。水平板部２２と仕切り板１４との間には図２に示すように多少遊びＡをとると、ロッカー本体内に設置し易い。水平板部２２の上面は、内部空間（収納室）の底面を形成する。
【００２７】
また水平板部２２は、ロッカー本体の基盤に対してネジ止めすることができるが、例えば拡大図である図４に示す如く、水平板部２２の裏面と基盤６の上面とを両面テープなどの連結手段３６で接続するだけでも十分である。この構成とすることで、通行人の足が傾斜板部と衝突したときの衝撃を緩和するという利点もある。
【００２８】
上記傾斜板部２４は、上面をスロープ２６とする平らな板材であり、先端部が床面Ｆに達するために必要な長さを有する。傾斜板部と床面とがなす角度θは、鋭角とする。図３に示すスロープの傾斜角度は４５°程度であり、既存の段差解消ブロックのスロープの傾斜角度よりもかなり大きい。しかし、バッグを搬入する手段としては、この程度の大きさの傾斜角度でも十分に有用である。また図示例では、傾斜板部２４の後端の左右巾が水平板部の左右巾と一致している。これに比べて傾斜板部２４は、図２に示すように上方から見て前端側が巾狭であるテーパ形としており、左右側方からの通行人の足が当たったときの衝突を弱めるようにしている。傾斜板部の前端でもキャスターバッグのキャスター間の巾以上の左右巾を有するものとする。
【００２９】
また扉１８下面と基盤６上面前端部との間には、図４に示すように水平板部２２の挿通を可能とする間隙Ｇを形成する。
【００３０】
好適な一実施例として、図示例では、ロッカー本体の高さを９２０ｍｍ、左右巾を１３９０ｍｍ、奥行きを６００ｍｍとしている。また傾斜板部の突出長さＬを６０ｍｍとしている。
【００３１】
上記構成において、図３の状態から扉１８を空けて、図５に示すようにキャスター付きバッグＢをロッカー本体内に乗り入れることができる。バッグの前側のキャスターがスロープに乗り上げた状態で、バッグの前上部に手を掛けて軽く引き上げるようにすると、容易に段差解消部材を乗り越えることができる。段差解消部材を設けずに、手の力でバッグを引き上げる場合に比べればずっと小さな力でバッグの搬入が可能となる。また傾斜板部２４と水平板部２２とは連続しているので、円滑にバッグをロッカー本体内に導くことができる。
【００３２】
なお、傾斜角度を小さくすればさらにスロープ２６を乗り越え易いが、前述の通り傾斜板部２４に通行者がつまずく可能性が大となる。図２に矢示で示すようにロッカー本体２の前を人が通過するとしても、傾斜板部２４の突出長が６０〜８０ｍｍ程度であれば、通行の邪魔になることは殆どないと考えられる。通行人は歩行の障害物との間にある程度の距離を置くことが普通だからである。
【００３３】
さらに仮に通行人の足が傾斜板部２４の側部に当たったとしても、その側部が図２に示すように矢印の方向に対して斜めであるため、足が傾斜板部に当るときの勢いが弱まる。また水平板部２６はロッカー本体２の内部に遊嵌されており、かつ両面テープなどの連結手段３６を用いて弱い力で基盤６に付されているに過ぎない。従ってたとえ通行人の足が斜板部に当ったとしても、衝突によるショックを緩和することができる。
【００３４】
また、段差解消部材２０をロッカー本体２に取り付けるときには、扉１８を開け、水平板部２２をロッカー本体の基盤６の上に載せる。前述のように水平板部２２と基盤６とを両面テープなどでの連結手段３６で係止することが好ましいが、この係止作業を省いても構わない。傾斜板部２４と水平板部２２とは連続成形されており、傾斜板部のスロープとロッカー本体の内部との間に隙間が生ずることがないからである。従って段差解消手段２０の設置が容易となる。
【００３５】
以下本発明の他の実施形態を説明する。これらの説明において第１実施形態と同じ構成については、同一の符号を付することで解説を省略する。
【００３６】
図６から図８は、本発明の第２実施形態に係るバッグ収納用ロッカーを示している。
本実施形態では、段差解消部材２０を、中空の段差解消ブロックに形成している。この段差解消ブロックは、水平板部２２と傾斜板部２４と垂直板部２８とで断面直角三角形の三角筒形に形成している。図示例の段差解消ブロックはロッカー本体２の左右巾に相当する長さを有しているが、各扉１８毎にそれぞれ段差解消ブロックを設けてもよい。左右傾斜板部２４の上面はスロープ２６を形成しており、スロープの上端は基盤６の上面にほぼ隙間なく連なっている。本実施形態では、基盤の上面が内部空間１６の底面を形成している。
【００３７】
また段差解消ブロックの適所には、基盤６への係止部３０を形成することが望ましい。好適な図示例では、上記垂直板部２８の両側から左右方向へ係止部３０である突片を突出し、この突片をボルト・ナットなどの締結具で基盤６の前面に着脱可能に係止している。
【００３８】
図８は、第２実施形態の変形例を示している。この例では段差解消ブロックを係止部３２により、またロッカー本体２を係止部３４によりそれぞれ設置面に固定している。具体的には、段差解消ブロックの係止部３２については、図６〜図７の実施形態の構成のうち、垂直板部２８の代わりに水平板部２２から左右外方へ係止片形成用の突片を延長し、この突片を締結具で設置面Ｆに対して係止すればよい。また基盤６の左右側面及び設置面に亘って係止部３４である締結具などを取り付ければよい。
【００３９】
［実施例］
１．第１実施例（図９〜図１０）
本実施例では、ロッカー本体２を、一つの扉を有する個別のロッカーとして構成している。もちろん、このロッカー本体を複数個連ねて設置することも可能である。図示のロッカー本体２の扉は略正方形であるが、その形状は適宜変更することができる。図示例では、段差解消部材２０として、第２実施形態にいう段差解消ブロックを用いているが、その代わりに、第１実施形態のように水平板部と傾斜板部とからなる構造でも構わない。
【００４０】
本実施形態の段差解消ブロックは、第２の段差解消ブロックのうち水平板部を省略するとともに、垂直板部２８の長さ方向の数箇所に亘って、基盤への連結用の係止部３２を形成している。これら係止部は例えばボルト・ナットなどで形成することができ、またボルト止めのための冶具を挿入するための冶具挿入孔３８を、水平板部の対応箇所に穿設している。これら冶具挿入孔３８はキャスターが脱落しないような大きさに形成することが望ましい。また図６に示す左右に長い段差解消ブロックに代えて、本実施例の段差解消ブロックを扉１８毎に設置することも可能である。
２．第２実施例
図面では省略しているが、前記各実施形態のロッカー本体２の上面には、ボウリングボールを置くためのボールラックを設けることができる。このボールラックは、左右一対のスタンド（垂直板）の間に、ボール載置用の棚を架設してなり、各スタンドの下端を頂板部の左右両部に固定している。
【符号の説明】
【００４１】
２…ロッカー本体  ６…基盤  ８…側板部  ９…折曲げ部分
１０…後板部  １２…頂板部
１４…仕切り板  １６…内部空間  １８…扉  １９…蝶番  
２０…段差解消部材  ２２…水平板部  ２４…傾斜板部  ２６…スロープ
２８…垂直板部  ３０、３２、３４…係止部  ３６…連結手段  ３８…冶具挿入穴
Ｇ…間隙  Ｆ…設置面  Ｂ…バッグ
【図１】
2010253120.tif 000003
【図２】
2010253120.tif 000004
【図３】
2010253120.tif 000005
【図４】
2010253120.tif 000006
【図５】
2010253120.tif 000007
【図６】
2010253120.tif 000008
【図７】
2010253120.tif 000009
【図８】
2010253120.tif 000010
【図９】
2010253120.tif 000011
【図１０】
2010253120.tif 000012